(57)【要約】【課題】投影用光が安定するまでの時間を無駄にせず視聴環境の作業や外部機器の制御による視聴環境への効果的な演出などに効率的に使うことができ、また、投影用光の消灯開始後に、まだ稼動しているという状態を明確に示すこともできる。【解決手段】光量センサ１０５は、投影用ランプ１０４からの投影用光の光量を単位時間毎に検出する。記憶部１０６は、光量センサ１０５により検出された光量を記憶する。制御部１０８は、投影用ランプ１０４及び照明用ＬＥＤ１０９の点灯開始後、記憶部１０６に記憶された光量の変化量に応じて、所定の規則に従って照明光の光量を時間の経過と共に減少させ、所定時間経過後照明用ＬＥＤ１０９を消灯させる。また、制御部１０８は、投影用ランプ１０４の消灯開始後は照明用ＬＥＤ１０９を点灯するように制御する。【選択図】図１
2010197549.tif 000002
【特許請求の範囲】
【請求項１】
画像を投影して表示するプロジェクタにおいて、
点灯開始から所望の第１の光量に達するまでに第１の時間を要する光源であって、投影用光を出射する第１の光源と、
点灯開始から所望の第２の光量に達するまでに前記第１の時間より短い第２の時間を要する光源であって、前記プロジェクタの周囲を照明するための照明光を出射する第２の光源と、
所望の画像を表示する表示手段と、
前記投影用光により前記表示手段に表示された前記画像を外部に投影させるための投影レンズ手段と、
前記投影用光の光量を、前記第１の光源が点灯開始から前記第１の光量に達するまでの時間よりも短い単位時間毎に検出する光量検出手段と、
前記光量検出手段により検出された前記光量を記憶する記憶手段と、
前記第１及び第２の光源の点灯開始後、前記記憶手段に記憶された前記光量の変化量に応じて、所定の規則に従って前記照明光の光量を時間の経過と共に減少させ、前記投影用光の光量が前記第１の光量に達した時に前記第２の光源を消灯させるように前記第２の光源を制御する光源制御手段と、
を有することを特徴とするプロジェクタ。
【請求項２】
画像を投影して表示するプロジェクタにおいて、
点灯開始から所望の第１の光量に達するまでに第１の時間を要する光源であって、投影用光を出射する第１の光源と、
点灯開始から所望の第２の光量に達するまでに前記第１の時間より短い第２の時間を要する光源であって、前記プロジェクタの周囲を照明するための照明光を出射する第２の光源と、
所望の画像を表示する表示手段と、
前記投影用光により前記表示手段に表示された前記画像を外部に投影させるための投影レンズ手段と、
前記投影用光の光量を、前記第１の光源が点灯開始から前記第１の光量に達するまでの時間よりも短い単位時間毎に検出する光量検出手段と、
前記光量検出手段により検出された前記光量を記憶する記憶手段と、
前記投影用光の最小光量から最大光量までの光量範囲をｎ個（ｎは２以上の自然数）の分割光量範囲に分割したとき、前記第１及び第２の光源の点灯開始後、前記記憶手段に記憶された前記光量が前記ｎ個の分割光量範囲のうち小さい方からｉ番目（ｉ＝０〜ｎ−１）の分割光量範囲内のときは、前記照明用光の光量を前記照明用光の最大光量からｉ段階小なる光量に設定し、前記投影用光が前記最大光量に達した時に前記第２の光源を消灯させるように前記第２の光源を制御する光源制御手段と、
を有することを特徴とするプロジェクタ。
【請求項３】
前記光源制御手段は、前記第１の光源の消灯時は前記第２の光源を点灯するように前記第２の光源を制御することを特徴とする請求項１又は２記載のプロジェクタ。
【請求項４】
画像を投影して表示するプロジェクタにおいて、
点灯開始から所望の光量に達するまでに時間を要する光源であって、投影用光を出射する光源と、
所望の画像を表示する表示手段と、
前記投影用光により前記表示手段に表示された前記画像を外部に投影させるための投影レンズ手段と、
前記投影用光の光量を、前記光源が点灯開始から前記所望の光量に達するまでの時間よりも短い単位時間毎に検出する光量検出手段と、
前記光量検出手段により検出された前記光量を記憶する記憶手段と、
外部機器の制御のためのリモコンコードを送信する送信手段と、
前記光源の点灯開始後、前記記憶手段に記憶された前記光量の変化量に応じて、所定の規則に従って前記外部機器を所望の状態に制御する前記リモコンコードを前記送信手段から送信させる制御手段と、
を有することを特徴とするプロジェクタ。
【請求項５】
画像を投影して表示するプロジェクタにおいて、
点灯開始から所望の光量に達するまでに時間を要する光源であって、投影用光を出射する光源と、
所望の画像を表示する表示手段と、
前記投影用光により前記表示手段に表示された前記画像を前記プロジェクタの外部に投影させるための投影レンズ手段と、
前記投影用光の光量を、前記光源が点灯開始から前記所望の光量に達するまでの時間よりも短い単位時間毎に検出する光量検出手段と、
前記光量検出手段により検出された前記光量を記憶する記憶手段と、
外部機器の制御のためのリモコンコードを送信する送信手段と、
前記投影用光の最小光量から最大光量までの光量範囲をｎ個（ｎは２以上の自然数）の分割光量範囲に分割したとき、前記光源の点灯開始後、前記記憶手段に記憶された前記光量が前記ｎ個の分割光量範囲のどの分割光量範囲に属するかに応じて、前記外部機器を所望の状態に制御する前記リモコンコードを前記送信手段から送信させる制御手段と、
を有することを特徴とするプロジェクタ。
【請求項６】
前記外部機器に対して予め設定した一以上の操作を行わせるための外部機器設定情報を入力する入力手段と、
入力された前記外部機器設定情報の前記一以上の操作に対応した一以上のリモコンコードを記憶しており、前記送信手段に対して記憶している前記リモコンコードを前記制御手段の制御の下に供給して送信させるリモコンコード記憶手段と
を更に有することを特徴とする請求項４又は５記載のプロジェクタ。
【発明の詳細な説明】
【技術分野】
【０００１】
本発明はプロジェクタに係り、特に投影用ランプからの光を用いて、表示デバイスに表示された画像を、投射レンズを通してスクリーン等へ投射するプロジェクタに関する。
【背景技術】
【０００２】
プロジェクタは、画像を形成した液晶パネル等の表示デバイスに、光源から出た光を透過又は反射させ、その透過光又は反射光を投射レンズを通してスクリーンに投射することで結像させる投射型表示装置である（例えば、特許文献１参照）。光源に用いるランプは、明るく鮮明な画像で投影を可能にするため、超高圧水銀ランプ（ＵＨＰランプ）や特許文献２に記載の高圧放電ランプ等の高輝度ランプが使用されることが多い。
【先行技術文献】
【特許文献】
【０００３】
【特許文献１】特開平７−２８１１４６号公報
【特許文献２】特開２００７−３０５３８２号公報
【発明の概要】
【発明が解決しようとする課題】
【０００４】
従来、プロジェクタは一般的に、照明を落とし部屋を暗くして使用する。しかし、プロジェクタに使用される高輝度ランプは、点灯立ち上がり時間が長く、ランプから出射される光量が定常状態に安定する（以下、「ランプが安定する」という）までに１分前後の時間を要する。特に、一度ランプを消灯した場合、再点灯するまでには、さらに長い時間を要する。
【０００５】
従って、ユーザは、プロジェクタの電源スイッチを入れてからランプの光量が安定するまでの比較的長い時間待機し、ランプが安定してから照明を落とすことを強いられる。そうしないと、ランプが安定する前に照明を消したところで部屋が真っ暗な状態となり、ＤＶＤプレーヤのセッティングなどの準備作業や照明スイッチからの移動が安全にできなくなってしまうためである。
【０００６】
また、プロジェクタ使用後（電源をオフにした後）に、投影用ランプの冷却のため、しばらくファンを回し続けなければならないが、その間に電源プラグをコンセントから抜いてしまうと、投影用ランプの劣化が早まってしまう。それを防ぐために、ファンが回っていることをインジケータで知らせるプロジェクタも知られているが、インジケータが小さいため、わかりにくいという問題がある。
【０００７】
なお、特許文献１は、投影用ランプ（光源ランプ）の光量が所定値以下に低下した場合に、投影用ランプの交換時期の到来であると検出して、その交換時期の到来をスクリーンに表示させてユーザに知らせる構成のプロジェクタを開示している。しかし、この特許文献１記載のプロジェクタでは、電源投入後投影用ランプが安定するまでに長い時間がかかることについての対策は何ら行っていない。
【０００８】
本発明は以上の点に鑑みなされたもので、投影用光が安定するまでの時間を無駄にせず視聴環境の作業や外部機器の制御による視聴環境への効果的な演出などに効率的に使うことができ、また、投影用光の消灯開始後にプロジェクタの周囲を明るく保つことで、まだ稼動しているという状態を明確に示すこともできるプロジェクタを提供することを目的とする。
【課題を解決するための手段】
【０００９】
上記の目的を達成するため、第１の発明のプロジェクタは、画像を投影して表示するプロジェクタにおいて、点灯開始から所望の第１の光量に達するまでに第１の時間を要する光源であって、投影用光を出射する第１の光源と、点灯開始から所望の第２の光量に達するまでに第１の時間より短い第２の時間を要する光源であって、プロジェクタの周囲を照明するための照明光を出射する第２の光源と、所望の画像を表示する表示手段と、投影用光により表示手段に表示された画像を外部に投影させるための投影レンズ手段と、投影用光の光量を、第１の光源が点灯開始から第１の光量に達するまでの時間よりも短い単位時間毎に検出する光量検出手段と、光量検出手段により検出された光量を記憶する記憶手段と、第１及び第２の光源の点灯開始後、記憶手段に記憶された光量の変化量に応じて、所定の規則に従って照明光の光量を時間の経過と共に減少させ、投影用光の光量が第１の光量に達した時に第２の光源を消灯させるように第２の光源を制御する光源制御手段とを有することを特徴とする。
【００１０】
また、上記の目的を達成するため、第２の発明のプロジェクタは、画像を投影して表示するプロジェクタにおいて、点灯開始から所望の第１の光量に達するまでに第１の時間を要する光源であって、投影用光を出射する第１の光源と、点灯開始から所望の第２の光量に達するまでに第１の時間より短い第２の時間を要する光源であって、プロジェクタの周囲を照明するための照明光を出射する第２の光源と、所望の画像を表示する表示手段と、投影用光により表示手段に表示された画像を外部に投影させるための投影レンズ手段と、投影用光の光量を、第１の光源が点灯開始から第１の光量に達するまでの時間よりも短い単位時間毎に検出する光量検出手段と、光量検出手段により検出された光量を記憶する記憶手段と、投影用光の最小光量から最大光量までの光量範囲をｎ個（ｎは２以上の自然数）の分割光量範囲に分割したとき、第１及び第２の光源の点灯開始後、記憶手段に記憶された光量がｎ個の分割光量範囲のうち小さい方からｉ番目（ｉ＝０〜ｎ−１）の分割光量範囲内のときは、照明用光の光量を照明用光の最大光量からｉ段階小なる光量に設定し、投影用光が最大光量に達した時に第２の光源を消灯させるように第２の光源を制御する光源制御手段とを有することを特徴とする。
【００１１】
また、上記の目的を達成するため、第３の発明のプロジェクタは、第１又は第２の発明における光源制御手段を、第１の光源の消灯時は第２の光源を点灯するように第２の光源を制御するようにしたことを特徴とする。
【００１２】
また、上記の目的を達成するため、第４の発明のプロジェクタは、画像を投影して表示するプロジェクタにおいて、点灯開始から所望の光量に達するまでに時間を要する光源であって、投影用光を出射する光源と、所望の画像を表示する表示手段と、投影用光により表示手段に表示された画像を外部に投影させるための投影レンズ手段と、投影用光の光量を、光源が点灯開始から所望の光量に達するまでの時間よりも短い単位時間毎に検出する光量検出手段と、光量検出手段により検出された光量を記憶する記憶手段と、外部機器の制御のためのリモコンコードを送信する送信手段と、光源の点灯開始後、記憶手段に記憶された光量の変化量に応じて、所定の規則に従って外部機器を所望の状態に制御するリモコンコードを送信手段から送信させる制御手段とを有することを特徴とする。
【００１３】
更に、上記の目的を達成するため、第５の発明のプロジェクタは、画像を投影して表示するプロジェクタにおいて、点灯開始から所望の光量に達するまでに時間を要する光源であって、投影用光を出射する光源と、所望の画像を表示する表示手段と、投影用光により表示手段に表示された画像を外部に投影させるための投影レンズ手段と、投影用光の光量を、光源が点灯開始から所望の光量に達するまでの時間よりも短い単位時間毎に検出する光量検出手段と、光量検出手段により検出された光量を記憶する記憶手段と、外部機器の制御のためのリモコンコードを送信する送信手段と、投影用光の最小光量から最大光量までの光量範囲をｎ個（ｎは２以上の自然数）の分割光量範囲に分割したとき、光源の点灯開始後、記憶手段に記憶された光量がｎ個の分割光量範囲のどの分割光量範囲に属するかに応じて、外部機器を所望の状態に制御するリモコンコードを送信手段から送信させる制御手段とを有することを特徴とする。
【００１４】
ここで、上記の第４又は第５の発明に、外部機器に対して予め設定した一以上の操作を行わせるための外部機器設定情報を入力する入力手段と、入力された外部機器設定情報の一以上の操作に対応した一以上のリモコンコードを記憶しており、送信手段に対して記憶しているリモコンコードを制御手段の制御の下に供給して送信させるリモコンコード記憶手段とを更に有するようにしてもよい。
【発明の効果】
【００１５】
本発明によれば、投影用光が安定するまでの時間を無駄にせず視聴環境の作業や外部機器の制御による視聴環境への効果的な演出などに効率的に使うことができる。また、本発明によれば、投影用光の消灯時にプロジェクタの周囲を明るく保つことで、まだ稼動しているという状態を明確に示すこともできる。
【図面の簡単な説明】
【００１６】
【図１】本発明のプロジェクタの第１の実施の形態のブロック図である。
【図２】図１中の投影用ランプと照明用ＬＥＤの光量変化の一例を示すグラフである。
【図３】本発明のプロジェクタの第１の実施の形態における照明用ＬＥＤの光量制御説明用フローチャート（その１）である。
【図４】本発明のプロジェクタの第１の実施の形態における照明用ＬＥＤの光量制御説明用フローチャート（その２）である。
【図５】本発明のプロジェクタの第２の実施の形態のブロック図である。
【図６】本発明のプロジェクタの第２の実施の形態における外部照明器具の光量制御説明用フローチャート（その１）である。
【図７】本発明のプロジェクタの第２の実施の形態における外部照明器具の光量制御説明用フローチャート（その２）である。
【発明を実施するための形態】
【００１７】
以下、本発明の各実施の形態を図面に基づいて詳細に説明する。
【００１８】
（第１の実施の形態）
図１は、本発明になるプロジェクタの第１の実施の形態のブロック図を示す。本実施の形態のプロジェクタ１００は、入力信号インタフェース（Ｉ／Ｆ）１０１、表示データを形成するデジタル処理部１０２、液晶パネル等の表示デバイス部１０３、投影用の光を出射する投影用ランプ１０４、投影用の光の光量を取得する光量センサ１０５、光量を記憶する記憶部１０６、光量を測定する測定部１０７、制御部１０８、照明用発光ダイオード（ＬＥＤ）１０９、及び投射レンズ１１０を有する。
【００１９】
入力信号Ｉ／Ｆ１０１は、ＤＶＤ(Digital Versatile Disc)プレーヤ等の再生機器からの信号を入力として受け、デジタル処理部１０２に供給する。デジタル処理部１０２は、再生機器からの入力信号に対してスケーリング等の処理を行い、表示データを形成する。表示デバイス部１０３は、デジタル処理部１０２により形成された表示データを表示する。投影用ランプ１０４は、点灯開始から所望の光量に達するまでに第１の時間を要する光源であって、投影用の光を出射し、その光を表示デバイス部１０３及び投射レンズ１１０を通してスクリーン（図示せず）等へ投射して結像させ、表示デバイス１０３の表示データをスクリーン等にて表示する。
【００２０】
光量センサ１０５は、投影用ランプ１０４から出射される投影用光の光量（以下、これを「投影用ランプ１０４の光量」又は「投影用光の光量」というものとする）を単位時間毎に取得し、記憶部１０６へ伝達するセンサである。上記の単位時間は、投影用ランプ１０４が点灯開始より所望の光量に達するまでの第１の時間よりも短い時間である。記憶部１０６は、光量センサ１０５で取得された投影用ランプ１０４の光量を一時記憶する。測定部１０７は、記憶部１０６からの光量センサ１０５で取得された投影用ランプ１０４の光量を測定する。
【００２１】
制御部１０８は、測定部１０７で測定された光量に対して適当な光量で点灯するように、照明用ＬＥＤ１０９を駆動して照明用の光を出射させる。照明用ＬＥＤ１０９は、点灯開始から所望の光量に達するまでに前記第１の時間より短い第２の時間（ここでは、所謂瞬時の時間）を要する光源であって、プロジェクタ１００の周囲を照明する。
【００２２】
なお、ここでは照明光を出力する光源としてＬＥＤ１０９を用いているが、瞬時点灯可能な光源ならばＬＥＤに限らずどのような光源でも構わない。また、投影用ランプ１０４の光量に対する照明用ＬＥＤ１０９から出射される照明光の光量（以下、これを「照明用ＬＥＤ１０９の光量」又は「照明光の光量」というものとする）の決定方法については、後述する。
【００２３】
なお、投影用ランプ１０４と投射レンズ１１０とが、図１では直線上に配置されているが、これはブロック図としての便宜的な配置であり、実際にはミラー等を用いて投影用ランプ１０４からの光を曲げ、直線以外の経路によって投射レンズ１１０に入力することも可能である。従って、必ずしも投影用ランプ１０４と投射レンズ１１０とを、直線上に配置しなくてもよい。光量センサ１０５の位置についても同様であり、投影用ランプ１０４の光量を正しく取得可能な位置ならばどこに設置しても構わない。
【００２４】
次に、光量センサ１０５で取得された投影用ランプ１０４の光量に対する、照明用ＬＥＤ１０９の光量の決定方法について図２乃至図４を参照して説明する。図２は、投影用光と照明光の光量の変化を示したグラフの一例を示す。また、図３は、上記の光量の第１の決定方法を示すフローチャートである。図４は、上記の光量の第２の決定方法を示すフローチャートである。
【００２５】
まず、光量の第１の決定方法について図１〜図３を併せ参照して説明する。プロジェクタ１００の電源をオン（ＯＮ）すると（ステップＳ０１）、投影用ランプ１０４が点灯すると共に照明用ＬＥＤ１０９が点灯する（ステップＳ０２）。すると、光量センサ１０５が、投影用ランプ１０４の光量を取得する（ステップＳ０３）。続いて、制御部１０８は、記憶部１０６に投影用ランプ１０４の光量が保存されているかどうかを判定する（ステップＳ０４）。記憶部１０６は、プロジェクタ１００の電源オンの直後は光量センサ１０５で取得された投影用ランプ１０４の光量をまだ保存していない。従って、最初は制御部１０８は、記憶部１０６に投影用ランプ１０４の光量が保存されていないと判定する。続いて、記憶部１０６が現在の投影用ランプ１０４の光量を保存する（ステップＳ０５）。
【００２６】
その後、光量センサ１０５が、引き続いてその時点の投影用ランプ１０４の光量を取得する（ステップＳ０３）。続いて、制御部１０８は、記憶部１０６に投影用ランプ１０４の光量が保存されているかどうかを判定し（ステップＳ０４）、今度は記憶部１０６に投影用ランプ１０４の光量が保存されていると判定する。これにより、制御部１０８は後述する式（１）を用いて照明用ＬＥＤ１０９の光量を決定する（ステップＳ０６）。
【００２７】
ここで、図２において、投影用ランプ１０４の光量は、実線Iで示すような時間変化を示し、時間の経過と共に非直線的に増加する。また、照明用ＬＥＤ１０９の光量は、点線IIで示すような時間変化を示し、時間の経過と共に非直線的に減少して０に収束する。
【００２８】
なお、図２に示す時間−光量の変化曲線は一例であって、必ずしもこのような変化曲線を描くわけではない。
【００２９】
光量センサ１０５は、図２に示す時刻ｔのときの投影用ランプ１０４の光量を取得し、その値をＬ（ｔ）とする。同様にして、単位時間経過後の時刻(ｔ＋ｉ)のときの投影用ランプ１０４の光量をＬ（ｔ＋ｉ）とする。この場合、図２に示すように、Ｌ（ｔ）＜Ｌ（ｔ＋ｉ）である。
【００３０】
一方、時刻ｔ、時刻(ｔ＋ｉ)のときの照明用ＬＥＤ１０９の光量を、図２に示すように、それぞれｌ（ｔ）、ｌ（ｔ＋ｉ）とすると、この場合、ｌ（ｔ）＞ｌ（ｔ＋ｉ）である。
【００３１】
前述した図３のステップＳ０６において、制御部１０８は、以下の式（１）により、ｌ（ｔ）の値を用いて、時刻(ｔ＋ｉ)のときの照明用ＬＥＤ１０９の光量ｌ（ｔ＋ｉ）を算出する。
【００３２】
ｌ（ｔ＋ｉ）＝ｌ（ｔ）−α＊（Ｌ（ｔ＋ｉ）−Ｌ（ｔ））    ・・・（１）
ただし、式（１）中、αは任意の値の係数である。
【００３３】
このようにして、制御部１０８は、投影用ランプ１０４の光量の変化量を変数として、照明用ＬＥＤ１０９の光量を決定する。
【００３４】
次に、制御部１０８は、上記式（１）で算出した照明用ＬＥＤ１０９の光量が０であるかどうかを判定する（ステップＳ０７）。算出した照明用ＬＥＤ１０９の光量が０でないときは、制御部１０８は、照明用ＬＥＤ１０９の光量をステップＳ０６で決定した光量に設定する（ステップＳ０８）。その後、記憶部１０６は現在の投影用ランプ１０４の光量を保存する（ステップＳ０５）。
【００３５】
以下、上記のステップＳ０３〜Ｓ０８の処理が、ステップＳ０７において、照明用ＬＥＤ１０９の決定した光量が０と判定されるまで繰り返される。制御部１０８は、ステップＳ０７で照明用ＬＥＤ１０９の決定した光量が０と判定された場合は、照明用ＬＥＤ１０９を消灯する（ステップＳ０９）。
【００３６】
図２から分る様に、投影用ランプ１０４が電源投入後の安定した状態になった時点（例えば１分前後経過した時点）で、照明用ＬＥＤ１０９の光量が０となる。そこで、この照明光の光量の第１の決定方法では、式（１）の係数αを投影用ランプ１０４が電源投入後の安定した状態になった時点で、式（１）の計算により求めた照明用ＬＥＤ１０９の光量が０となるように選定する。これにより、この光量の第１の決定方法は、投影用ランプ１０４の安定状態になったタイミングと、ステップＳ０９の照明用ＬＥＤ１０９の消灯のタイミングとを一致させることができる。
【００３７】
なお、投影用ランプ１０４は、使用時間に応じて徐々に最大光量が低下していくため、記憶部１０６は、前回使用時の投影用光の最大光量を保存する。そして、記憶部１０６に保存した前回使用時の投影用光の最大光量を用いることで、より正確な係数αの算出が可能となる。前回使用時の投影用光の最大光量は、投影用光の光量の変化量｛Ｌ（ｔ＋ｉ）−Ｌ（ｔ）｝の値が一定時間変化しなくなったときの光量や、投影用ランプ１０４が点灯してから十分な時間が経過したときの光量などを用いる。
【００３８】
次に、光量センサ１０５で取得された投影用ランプ１０４の光量に対する、照明用ＬＥＤ１０９の光量の第２の決定方法について、図１、図４を参照して説明する。上記の照明用ＬＥＤ１０９の光量の第１の決定方法は、投影用ランプ１０４の光量の変化量を変数として、照明用ＬＥＤ１０９の光量を決定した。これに対し、この第２の決定方法では、投影用ランプ１０４の光量とその最大値の比である閾値を複数用意し、用意された複数の閾値と投影用ランプ１０４の光量との比較結果に応じて、照明用ＬＥＤ１０９の光量を決定するものである。
【００３９】
プロジェクタ１００の電源をオン（ＯＮ）すると（ステップＳ１１）、投影用ランプ１０４が点灯すると共に照明用ＬＥＤ１０９が点灯する（ステップＳ１２）。すると、光量センサ１０５が、投影用ランプ１０４の光量を取得する（ステップＳ１３）。
【００４０】
続いて、制御部１０８は、光量センサ１０５で取得され、記憶部１０６及び測定部１０７を経て入力された投影用ランプ１０４の光量が閾値を超えたかどうかを比較判定する（ステップＳ１４）。この閾値は、投影用ランプ１０４の光量の最大値の０／ｎ倍、１／ｎ倍、２／ｎ倍、３／ｎ倍、・・・、ｎ−１／ｎ倍のｎ個の値とされている。投影光の光量の最大値のｎ−１／ｎ倍の閾値は、閾値の最大値ＭＡＸである。
【００４１】
ステップＳ１４で比較する閾値はその時点で最も低い値の閾値であり、閾値の初期値は最大値の０／ｎ倍の値、すなわち“０”である。従って、ステップＳ１４では、閾値の値を超えたと判定されるので、続いて制御部１０８は、閾値がＭＡＸであるかどうかを判定する（ステップＳ１５）。
【００４２】
この時点では投影用ランプ１０４の光量は閾値ＭＡＸより小さいので、制御部１０８は、続いてステップＳ１４で判定した閾値に対応した光量に照明用ＬＥＤ１０９の光量を設定する（ステップＳ１６）。このとき設定される照明用ＬＥＤ１０９の光量は、ステップＳ１４で判定した閾値が最大値の０／ｎ倍の値のときは、照明用ＬＥＤ１０９の光量の最大値のｎ／ｎ倍の値（すなわち、最大値）とされる。
【００４３】
続いて、制御部１０８は、ステップＳ１４で比較する閾値を一段階上げる（ステップＳ１７）。その後、制御部１０８は、ステップＳ１３で取得した現時点の投影用ランプ１０４の光量が、ステップＳ１７で一段階上げた閾値（この時点では投影用ランプ１０４の光量の最大値の１／ｎ倍の値）を超えたかどうか判定する（ステップＳ１４）。
【００４４】
取得した現在の投影用ランプ１０４の光量が閾値を超えていないときは再びステップＳ１３及びＳ１４の処理を繰り返す。取得した現在の投影用ランプ１０４の光量が閾値を超えているときは、投影用ランプ１０４の光量が閾値の最大値ＭＡＸを超えたかどうか判定する（ステップＳ１５）。
【００４５】
最大値ＭＡＸを超えていない場合は、制御部１０８は、続いてステップＳ１４で判定した閾値に対応した光量に照明用ＬＥＤ１０９の光量を設定する（ステップＳ１６）。このとき設定される照明用ＬＥＤ１０９の光量は、ステップＳ１４で判定した閾値が最大値の１／ｎ倍の値であるので、照明用ＬＥＤ１０９の光量の最大値の（ｎ−１）／ｎ倍の値とされる。続いて、制御部１０８は、ステップＳ１４で比較する閾値を一段階上げる（ステップＳ１７）。
【００４６】
以下、上記と同様にして、制御部１０８は、ステップＳ１３で取得した現時点の投影用ランプ１０４の光量が、ステップＳ１５で閾値の最大値を超えると判定されるまで、上記の投影用ランプ１０４の光量に対する閾値の一段階ずつの引き上げと、照明用ＬＥＤ１０９の光量の設定とを繰り返す。ステップＳ１６での照明用ＬＥＤ１０９の光量は、投影用ランプ１０４の光量に対する閾値が最大値のｉ／ｎ倍（ｉ＝０、１、２、・・・、ｎ−１）のときは、照明用ＬＥＤ１０９の光量の最大値の（ｎ−ｉ）／ｎ倍の値に設定される。これにより、投影用ランプ１０４の光量が増加するにつれて、照明用ＬＥＤ１０９の光量が減少するように設定されることになる。
【００４７】
そして、制御部１０８は、ステップＳ１５で現時点の投影用ランプ１０４の光量が閾値の最大値ＭＡＸを超えたと判定したときは、投影用ランプ１０４が安定状態に達したと判断して照明用ＬＥＤ１０９を消灯する（ステップＳ１８）。
【００４８】
このようにして、この光量の第２の決定方法は、投影用ランプ１０４の光量が閾値の最大値を超える安定状態になったタイミングと、照明用ＬＥＤ１０９の消灯のタイミングとを一致させることができる。
【００４９】
このように、本実施の形態では、上記の２つの光量の決定方法のどちらかにより、投影用ランプ１０４の光量が増加するにつれて、照明用ＬＥＤ１０９の光量が減少するように設定し、投影用ランプ１０４が安定状態に達したときに照明用ＬＥＤ１０９を消灯するようにしているため、以下の効果が得られる。
【００５０】
本実施の形態によれば、プロジェクタ１００の投影用ランプ１０４が安定した明るさになるまで、プロジェクタ１００の周囲を照明用ＬＥＤ１０９により明るく保つことが可能となり、ＤＶＤプレーヤ等のプロジェクタ１００に関連する機器の準備作業や、部屋の照明スイッチから視聴位置へ移動したり、カーテンや窓を閉めたり、飲食物の準備をしたり、空調の設定を変更したり、といった視聴環境を整える作業を安全に行うことができる。よって、本実施の形態によれば、投影用ランプ１０４が安定するまでの１分前後の時間を無駄にせず効率的に使うことができる。
【００５１】
なお、前述した２つの光量決定方法では、投影用ランプ１０４の安定と照明用ＬＥＤ１０９の消灯が同じタイミングとなるようにしたが、必ずしも両者を一致させる必要はなく、例えば、投影用ランプ１０４の光量に依存せずに、任意の関数を用いて照明用ＬＥＤ１０９の光量を徐々に落としていく、という方法でも構わない。また、投影用ランプ１０４が安定するまでは照明用ＬＥＤ１０９の光量は一定に保ち、投影用ランプ１０４が安定後に、任意の関数を用いて照明用ＬＥＤ１０９の光量を落としていく、といった方法でも構わない。
【００５２】
更に、前述した方法に限らず、照明用ＬＥＤ１０９が消灯するタイミングが、投影用ランプ１０４の安定後になる方法ならば、照明用ＬＥＤ１０９の光量を変化させる方法は問わない。前述した２つの光量決定方法以外のこのような手法の場合、制御部１０８は、測定部１０７で測定された光量に対して、照明用ＬＥＤ１０９の光量を制御するのではなく、点灯、消灯など照明用ＬＥＤ１０９の任意の状態をトリガとして、予め決定しておいた光量の変化に従って、照明用ＬＥＤ１０９を駆動させる。
【００５３】
以上が、本実施の形態における照明用ＬＥＤ１０９の光量の決定方法の説明である。
【００５４】
次に、照明用ＬＥＤ１０９の点灯／消灯のタイミングについて説明する。
【００５５】
照明用ＬＥＤ１０９の点灯は、プロジェクタ１００の電源スイッチをオンにしたタイミングで行う。このタイミングでは、必然的に投影用ランプ１０４の光量は０であるため、照明用ＬＥＤ１０９の光量は最大となる。
【００５６】
照明用ＬＥＤ１０９の消灯は、照明用ＬＥＤ１０９の光量を０とするように決定したタイミングで行う。前述した各方法の通り、投影用ランプ１０４の光量の増加に従って照明用ＬＥＤ１０９の光量を減少させ、投影用ランプ１０４が最大光量となった段階で照明用ＬＥＤ１０９を消灯する方法でも構わないし、投影用ランプ１０４が最大光量に達するまで照明用ＬＥＤ１０９の光量は一定に保ち、投影用ランプ１０４が最大光量に達した後に、徐々に照明用ＬＥＤ１０９の光量を落として消灯する、といった方法でも構わない。前述した方法に限らず、投影用ランプ１０４の安定後に、照明用ＬＥＤ１０９が消灯する方法ならば、その方法は問わない。
【００５７】
次に、本実施の形態におけるプロジェクタ１００の使用後（電源をオフにした後）の冷却時における照明用ＬＥＤ１０９の利用について説明する。
【００５８】
ユーザによってプロジェクタ１００の電源がオフにされたタイミングで、照明用ＬＥＤ１０９を点灯させる。点灯時の光量は任意で構わない。ただし、上記のプロジェクタ１００の電源のオフは、投影用ランプ１０４の消灯のことであり、照明用ＬＥＤ１０９や制御部１０８への電源供給は行われている。これにより、投影用光の光量が０になっても、照明用ＬＥＤ１０９によりプロジェクタ１００の周囲は明るくなるので、プロジェクタ１００の使用後の冷却時に、プロジェクタ１００はまだ稼動しているという状態を明確に示すことができる。従って、投影用ランプ１０４の冷却のためのファンがまだ回っている時に、ユーザが電源プラグをコンセントから抜いてしまうという現象を防止することができる。
【００５９】
なお、照明用ＬＥＤ１０９の点灯後の光量の制御は、前述の投影用ランプ１０４点灯時の光量に従って制御する方法と同様にして、投影用ランプ１０４の温度や冷却を開始してからの経過時間に従って、光量を減衰させていく方法でも構わないし、任意の関数に従って、点灯時、もしくは、冷却完了時から光量を減衰させていく方法でも構わない。また、冷却完了後に消灯する方法ならば、その制御方法は問わない。
【００６０】
投影用ランプ１０４の温度は、温度計を設けるなどして取得すればよい。投影用ランプ１０４の冷却時間は、ファンが回転を開始した時点からの経過時間を、タイマプログラム等を用いて算出すればよい。
【００６１】
照明用ＬＥＤ１０９の消灯のタイミングは、前述の通り、投影用ランプ１０４の冷却完了後に電源プラグをコンセントから抜いても問題ない状態ならば、いつでも構わない。
【００６２】
（第２の実施の形態）
次に、本発明の第２の実施の形態について説明する。図５は、本発明になるプロジェクタの第２の実施の形態のブロック図を示す。同図中、図１と同一構成部分には同一符号を付してある。本実施の形態のプロジェクタ２００は、入力信号Ｉ／Ｆ１０１、表示データを形成するデジタル処理部１０２、液晶パネル等の表示デバイス部１０３、投影用の光を出射する投影用ランプ１０４、投影用の光の光量を取得する光量センサ１０５、光量を記憶する記憶部１０６、光量を測定する測定部１０７、リモコンコード送信部２０１、リモコンコード記憶部２０２、外部機器設定インタフェース（Ｉ／Ｆ）２０３、制御部２０４、及び投射レンズ１１０を有する。
【００６３】
本実施の形態のプロジェクタ２００は、第１の実施の形態のプロジェクタ１００と比較し、照明用ＬＥＤ１０９の代わりにリモコンコード送信部２０１とリモコンコード記憶部２０２を設け、また外部機器設定Ｉ／Ｆ２０３を新たに設けた点にある。なお、制御部２０４は、制御部１０８と異なる制御を行う。
【００６４】
昨今、シーリングライト等の照明器具には、調光機能が付いているものも多く存在し、その多くはリモコン等の操作機器からの信号により、光量を複数の段階に変更することができる。従って、リモコンコード送信部２０１は、調光可能な照明の調光制御用リモコンコードを発せられるようにしておくことにより、プロジェクタ２００の投射用ランプ１０４の光量の増加に従って、部屋の照明を連動して暗くする、という制御が可能となる。
【００６５】
第１の実施の形態では、制御部１０８が、投影用ランプ１０４の光量に従って、プロジェクタ１００に内蔵する照明用ＬＥＤ１０９の光量を決定した。これに対し、本実施の形態のプロジェクタ２００では、制御部２０４が、投影用ランプ１０４の光量に従って調光機能付き照明器具の調光段階を決定し、その明るさをリモコンコードを送信して調節する。そのため、例えば、照明器具の調光がｎ段階で可能である場合、リモコンコード記憶部２０２は、ｎ個の調光段階に対応したｎ個のリモコンコードを予め記憶している。制御部２０４は、決定された調光段階に従って、リモコンコード記憶部２０２に記憶されたリモコンコードを、リモコンコード送信部２０１から照明器具に送信する。
【００６６】
次に、本実施の形態のプロジェクタ２００の外部の照明器具の調光制御方法について説明する。この調光制御方法は、第１の実施の形態と同様に２つの方法があり、まず図６のフローチャートを併せ参照して説明する。
【００６７】
まず、プロジェクタ２００の電源がオン（ＯＮ）される（ステップＳ２１）。これにより、投影用ランプ１０４が点灯する。続いて、制御部２０４は、リモコン操作可能な調光機能付き照明器具（図示せず）に対して、リモコンコード送信部２０１から電源オンのリモコンコードを送信させる（ステップＳ２２）。一方、光量センサ１０５が、投影用ランプ１０４の光量を取得する（ステップＳ２３）。
【００６８】
続いて、制御部２０４は、記憶部１０６に投影用ランプ１０４の光量が保存されているかどうかを判定する（ステップＳ２４）。記憶部１０６は、プロジェクタ２００の電源オンの直後は光量センサ１０５で取得された投影用ランプ１０４の光量をまだ保存していない。従って、最初は制御部２０４は、記憶部１０６に投影用ランプ１０４の光量が保存されていないと判定する。続いて、記憶部１０６が現在の投影用ランプ１０４の光量を保存する（ステップＳ２５）。
【００６９】
その後、光量センサ１０５が、引き続いてその時点の投影用ランプ１０４の光量を取得する（ステップＳ２３）。続いて、制御部２０４は、記憶部１０６に投影用ランプ１０４の光量が保存されているかどうかを判定し（ステップＳ２４）、今度は記憶部１０６に投影用ランプ１０４の光量が保存されていると判定する。これにより、制御部２０４は前述した式（１）と同様の所定の式を用いて調光機能付き照明器具の調光の光量を決定する（ステップＳ２６）。ここで、上記の所定の式は、例えば（１）式中の照明用ＬＥＤの光量の替りに調光機能付き照明器具の調光の光量としたものである。
【００７０】
次に、制御部２０４は、ステップＳ２６で算出した光量が０であるかどうかを判定する（ステップＳ２７）。算出した光量が０でないときは、制御部２０４は、調光機能付き照明器具の調光の光量を、ステップＳ２６で算出した光量とさせるリモコンコードをリモコン送信部２０１から送信させる（ステップＳ２８）。その後、記憶部１０６は現在の投影用ランプ１０４の光量を保存する（ステップＳ２５）。
【００７１】
以下、上記のステップＳ２３〜Ｓ２８の処理が、ステップＳ２７において、調光機能付き照明器具の調光の光量が０と判定されるまで繰り返される。制御部２０４は、ステップＳ２７で調光機能付き照明器具の調光の光量が０と判定された場合は、調光機能付き照明器具を消灯する（ステップＳ２９）。これにより、この光量の決定方法は、投影用ランプ１０４の安定状態になったタイミングと、ステップＳ２９の照明器具の消灯のタイミングとを一致させることができる。
【００７２】
次に、調光機能付き照明器具の調光の第２の制御方法について図７のフローチャートを併せ参照して説明する。
【００７３】
まず、プロジェクタ２００の電源がオン（ＯＮ）される（ステップＳ３１）。これにより、投影用ランプ１０４が点灯する。続いて、制御部２０４は、リモコン操作可能な調光機能付き照明器具（図示せず）に対して、リモコンコード送信部２０１から電源オンのリモコンコードを送信させる（ステップＳ３２）。一方、光量センサ１０５が、投影用ランプ１０４の光量を取得する（ステップＳ３３）。
【００７４】
続いて、制御部２０４は、光量センサ１０５で取得され、記憶部１０６及び測定部１０７を経て入力された投影用ランプ１０４の光量が閾値を超えたかどうかを比較判定する（ステップＳ３４）。この閾値は、投影用ランプ１０４の光量の最大値の０／ｎ倍、１／ｎ倍、２／ｎ倍、３／ｎ倍、・・・、ｎ−１／ｎ倍のｎ個の値とされている。投影光の光量の最大値のｎ−１／ｎ倍の閾値は、閾値の最大値ＭＡＸである。
【００７５】
ステップＳ３４で比較する閾値はその時点で最も低い値の閾値であり、閾値の初期値は最大値の０／ｎ倍の値、すなわち“０”である。従って、ステップＳ３４では、閾値の値を超えたと判定されるので、続いて制御部２０４は、閾値がＭＡＸであるかどうかを判定する（ステップＳ３５）。
【００７６】
この時点では投影用ランプ１０４の光量は閾値ＭＡＸより小さいので、制御部２０４は、続いてステップＳ３４で判定した閾値に対応した、外部の調光機能付き照明器具の調光段階を決定し、その調光段階に調光するリモコンコードをリモコンコード送信部２０１から調光機能付き照明器具へ送信させる（ステップＳ３６）。
【００７７】
ここで、前述したようにリモコンコード記憶部２０２は、ｎ個の調光段階に対応したｎ個のリモコンコードを予め記憶している。ステップＳ３６では、制御部２０４は、このｎ個のリモコンコードのうちステップＳ３４で判定した閾値に対応した調光段階の１個のリモコンコードを選択して送信させる。このとき送信される調光段階のリモコンコードは、ステップＳ３４で比較される投影用ランプ１０４の光量に対する閾値が、最大値のｋ／ｎ倍（ｋ＝０、１、２、・・・、ｎ−１）のときは、調光機能付き照明器具の光量の最大値の（ｎ−ｋ）／ｎ倍の値となる調光段階のリモコンコードである。従って、ステップＳ３４で判定した閾値が最大値の０／ｎ倍の値のときは、ステップＳ３６では調光機能付き照明器具の光量の最大値のｎ／ｎ倍の値（すなわち、最大値）の調光段階のリモコンコードが送信される。
【００７８】
なお、上記した「調光機能付き照明器具の光量の最大値」とは、記憶させておいたｎ段階のリモコンコードの中での最大光量であって、必ずしも調光器具の最大光量ではない。
【００７９】
続いて、制御部２０４は、ステップＳ１４で比較する閾値を一段階上げる（ステップＳ３７）。その後、制御部２０４は、ステップＳ３３で取得した現時点の投影用ランプ１０４の光量が、ステップＳ３７で一段階上げた閾値（この時点では投影用ランプ１０４の光量の最大値の１／ｎ倍の値）を超えたかどうか判定する（ステップＳ３４）。
【００８０】
取得した現在の投影用ランプ１０４の光量が閾値を超えていないときは再びステップＳ３３及びＳ３４の処理を繰り返す。取得した現在の投影用ランプ１０４の光量が閾値を超えているときは、投影用ランプ１０４の光量が閾値の最大値ＭＡＸを超えたかどうか判定する（ステップＳ１５）。
【００８１】
最大値ＭＡＸを超えていない場合は、制御部２０４は、続いてステップＳ３４で判定した閾値に対応した段階に調光するリモコンコードをリモコンコード送信部２０１から送信させる（ステップＳ３６）。このとき送信される調光段階のリモコンコードは、ステップＳ３４で判定した閾値が最大値の１／ｎ倍の値であるので、調光段階で光量が最大値の（ｎ−１）／ｎ倍の調光段階の値とされる。続いて、制御部２０４は、ステップＳ３４で比較する閾値を一段階上げる（ステップＳ３７）。
【００８２】
以下、上記と同様にして、制御部２０４は、ステップＳ３３で取得した現時点の投影用ランプ１０４の光量が、ステップＳ３５で閾値の最大値を超えると判定されるまで、上記の投影用ランプ１０４の光量に対する閾値の一段階ずつの引き上げと、対応する段階に調光するリモコンコードの送信とを繰り返す。これにより、投影用ランプ１０４の光量が増加するにつれて、調光機能付き照明機器の光量が減少するように調光されることになる。
【００８３】
そして、制御部２０４は、ステップＳ３５で現時点の投影用ランプ１０４の光量が閾値の最大値ＭＡＸを超えたと判定したときは、投影用ランプ１０４が安定状態に達したと判断して調光機能付き照明器具を消灯させるリモコンコードをリモコンコード送信部２０１から送信させて消灯させる（ステップＳ３８）。
【００８４】
このようにして、本実施の形態では、投影用ランプ１０４の光量が閾値の最大値を超える安定状態になったタイミングと、調光機能付き照明器具の消灯のタイミングとを一致させることができる。
【００８５】
なお、投影用ランプ１０４の安定と照明器具の消灯とは必ずしも一致させる必要はなく、第１の実施の形態と同様に、調光段階の決定方法は問わない。また、以上の説明では、外部機器として室内に設置した調光機能付き照明器具を遠隔制御するものとして説明したが、本実施の形態は、これに限らず、リモコンコードを用いて制御可能な機器ならば、何でも応用可能である。
【００８６】
例えば、投影用ランプ１０４の光量が増加するに従って、室内のカーテンやブラインドが自動的に閉めたり、投影用スクリーンが自動的に下ろしたり、空調機器のモードを低騒音モード（弱風）にしたりすることもできる。また、投影用ランプ１０４の光量が増加するに従って、テレビジョン受像機やラジオや音響機器の音量を小さくする、あるいは電源をオフにするなどの制御を行うこともできる。更に、投影用ランプ１０４の光量が増加するに従って、電話を自動で留守電モードにする、デジタルフォトフレームやＬＥＤを用いた時計など常に発光している常設機器の輝度を下げる、又は電源をオフにする、アロマ機器の電源をオンにして香りを発生する、などの制御も可能である。
【００８７】
本実施の形態のプロジェクタ２００によれば、これら多岐に亘る応用が可能であり、そのために、制御対象の機器と投影用ランプ１０４の光量をどのように連動させるかを、設定可能にしておく。すなわち、本実施の形態のプロジェクタ２００によれば、外部機器設定Ｉ／Ｆ２０３は、どの外部機器を、どのように制御するかを記述できるようにされており、その設定をリモコンコード記憶部２０２の中に記憶する。外部機器設定Ｉ／Ｆ２０３は、カーテン、電話、テレビジョン受像機、ラジオなど設定する機器の選択肢に対して、どの操作を行うか（電源をオンにする、ボリュームを任意の値にする、など）を記述する。
【００８８】
リモコンコード送信部２０１は、リモコンコード記憶部２０２からその記述に連動したリモコンコードを読み出して送信する。リモコンコードは予め、知っておかなければならない。そのために、リモコンコード記憶部２０２は、各機器のリモコンコードをプリインストールされているか、又は別に設けたＩＲコード受信部に、公知の方法で（例えば、特開平２−１９００９６号公報記載の方法で）ＩＲコードを学習し、その学習結果を記憶するようにされている。また、本実施の形態では、同時に、複数の機器や複数の操作の設定を行うことも可能であり、その場合はリモコンコード送信部２０１は、連続して各機器及び各操作のリモコンコードを出力するようにされる。
【００８９】
このように、本実施の形態のプロジェクタ２００によれば、投影用ランプ１０４が安定するまでの１分前後の時間を用いて、自動的にプロジェクタ２００以外の外部機器を所望の状態に制御することができるので、視聴環境の効果的な演出をすることができる。
【００９０】
なお、上記のＩＲコードに限らず、ＢｌｕｅＴｏｏｔｈやＷｉ−Ｆｉなど他のプロトコルを用いてプロジェクタ２００と所望の機器との通信を行い、投影用ランプ１０４の光量と連動して所望の機器の操作を行ってもよい。
【００９１】
また、以上の実施の形態において、プロジェクタ１００、２００の光源は投影用ランプとして説明したが、これ以外の光源（例えば、ＬＥＤ）であってもよい。
【符号の説明】
【００９２】
１００、２００  プロジェクタ
１０１  入力信号インタフェース（Ｉ／Ｆ）
１０２  デジタル処理部
１０３  表示デバイス部
１０４  投影用ランプ
１０５  光量センサ部
１０６  記憶部
１０７  測定部
１０８、２０４  制御部
１０９  照明用ＬＥＤ（発光ダイオード）
１１０  投射レンズ
２０１  リモコンコード送信部
２０２  リモコンコード記憶部
２０３  外部機器設定Ｉ／Ｆ
【図１】
2010197549.tif 000003
【図２】
2010197549.tif 000004
【図３】
2010197549.tif 000005
【図４】
2010197549.tif 000006
【図５】
2010197549.tif 000007
【図６】
2010197549.tif 000008
【図７】
2010197549.tif 000009